(57)【要約】【課題】  座シェルの剛性が低下するのを防止するとともに、取扱説明書等の被収納物の出し入れ容易として収納しうるようにする。【解決手段】  脚杆２の上端に設けた支基４の上部に、側端部の下面に平面部を有する座受フレーム７を設け、この座受フレーム７の上部に、座シェル１２を固着するとともに、座シェル１２の側端部下面に、平面部を囲むようにしてその下面よりも下方に突出し、取扱説明書１６等の少なくとも４個所を落下を防止して保持しうる複数の保持片１８、２０を設け、この保持片１８、２０と座受フレーム７の平面部との間に、被収納物１６を収納するようにする。【選択図】  図１
2005137763.tif 000002
【特許請求の範囲】
【請求項１】
脚杆の上端に設けた支基の上部に、左右両側部が支基の両側方に突出するとともに、側端部の下面に平面部を有する座受フレームを設け、この座受フレームの上部に、座体の下部を形成する座シェルを、その両側部下面に形成された凹部内に前記座受フレームの両側部を収容して固着するとともに、前記座シェルの側端部下面に、前記平面部を囲むようにしてその下面よりも下方に突出し、取扱説明書等の被収納物の少なくとも４個所を落下を防止して保持しうる複数の保持片を設け、この保持片と前記座受フレームの平面部との間に、前記被収納物を収納するようにしたことを特徴とする収納部付き椅子。
【請求項２】
保持片が、下端に被収納物の４個所の下面を支持する内向片を有する内向きＬ字状をなし、この保持片を、被収納物を挿脱しうるように対向させて１対ずつ設けるとともに、奥部側の１枚の保持片に、被収納物の先端が当接してその挿入方向への移動を阻止するストッパ片を設けた請求項１記載の収納部付き椅子。
【請求項３】
平面部と各保持片の内向片とを、外上方に向かって傾斜させてなる請求項２記載の収納部付き椅子。
【請求項４】
座受けフレームを、前後１対の支持杆と、その両側端部同士を連結する上向コ字状の連結杆とからなるものとし、前記連結杆の下面を平面部としてなる請求項１〜３のいずれかに記載の収納部付き椅子。
【発明の詳細な説明】
【技術分野】
【０００１】
本発明は、座体の下面に、椅子の取扱説明書等の被収納物を収納しうるようにした収納部付き椅子に関する。
【背景技術】
【０００２】
椅子の座体の下面に収納部を設け、この収納部に、椅子の機能や操作方法等を説明する取扱説明書を収納しうるようにした椅子が提案されている（例えば特許文献１、２参照）。
【特許文献１】特開平７−２５５５６６号公報
【特許文献２】特開平１１−２７６３００号公報
【発明の開示】
【発明が解決しようとする課題】
【０００３】
上記特許文献に記載されている従来の収納部付き椅子では、いずれも、座体の下面、すなわち支基の上端に固着された合成樹脂製の座シェルの下面に、方形をなす上向きの収納凹部を形成し、この中に取扱説明書を収納するようにしているため、座シェルの撓み剛性が小さくなることがあった。
【０００４】
また、収納凹部に取扱説明書を出し入れする際に、それを若干折り曲げる必要があり、出し入れが面倒であった。
【０００５】
本発明は、上記問題に鑑みてなされたもので、座シェルに収納凹部を形成することなく、取扱説明書等の被収納物を収納して保持しうるようにし、座シェルの剛性が低下するのを防止するとともに、被収納物の出し入れを容易に行いうるようにした、収納部付き椅子を提供することを目的としている。
【課題を解決するための手段】
【０００６】
本発明によると、上記課題は、次のようにして解決される。
（１）脚杆の上端に設けた支基の上部に、左右両側部が支基の両側方に突出するとともに、側端部の下面に平面部を有する座受フレームを設け、この座受フレームの上部に、座体の下部を形成する座シェルを、その両側部下面に形成された凹部内に前記座受フレームの両側部を収容して固着するとともに、前記座シェルの側端部下面に、前記平面部を囲むようにしてその下面よりも下方に突出し、取扱説明書等の被収納物の少なくとも４個所を落下を防止して保持しうる複数の保持片を設け、この保持片と前記座受フレームの平面部との間に、前記被収納物を収納するようにする。
【０００７】
（２）上記(１)項において、保持片が、下端に被収納物の４個所の下面を支持する内向片を有する内向きＬ字状をなし、この保持片を、被収納物を挿脱しうるように対向させて１対ずつ設けるとともに、奥部側の１枚の保持片に、被収納物の先端が当接してその挿入方向への移動を阻止するストッパ片を設ける。
【０００８】
（３）上記(２)項において、平面部と各保持片の内向片とを、外上方に向かって傾斜させる。
【０００９】
（４）上記(１)〜(３)項のいずれかにおいて、座受けフレームを、前後１対の支持杆と、その両側端部同士を連結する上向コ字状の連結杆とからなるものとし、前記連結杆の下面を平面部とする。
【発明の効果】
【００１０】
請求項１記載の発明によれば、座シェルに従来のような収納凹部を設けることなく、取扱説明書等の被収納物を収納しうるので、座シェルの撓み剛性が低下したりすることがない。
また、収納凹部内に被収納物を収容しないので、その出し入れも容易となる。
【００１１】
請求項２記載の発明によれば、４個の保持片により、被収納物の４個所を安定して保持しうるとともに、互いに対向する保持片間の隙間に手を入れて、被収納物を簡単に取出すことができる。
【００１２】
請求項３記載の発明によれば、被収納物が、斜め下向きに傾斜した状態で収納されるので、それが簡単に抜け出す恐れはなく、かつその出し入れも容易となる。
【００１３】
請求項４記載の発明によれば、座受フレームを構成する連結杆の下面を平面部として使用しうるので、別部材を設ける必要はなく、コスト低減が図れる。
【発明を実施するための最良の形態】
【００１４】
以下、本発明の最良と思われる実施形態を、図面に基づいて説明する。
図１は、本発明の椅子を斜め前下方より見た斜視図で、椅子(１)の脚杆(２)の下端には、キャスタを有する放射方向に延出する５本の脚(３)が設けられ、同じく上端には、概ね矩形をなす金属製の支基(４)の後端部が、水平回動自在に設けられている。
【００１５】
支基(４)の上面には、図２の分解斜視図にも示すように、左右の両側部が若干上向きに傾斜する前後１対の金属パイプよりなる支持杆(５)(５)と、それらの側端部の下面同士を連結する上向コ字状の左右２個ずつの金属製の連結杆(６)(６)とからなる座受フレーム(７)が、その左右両側部を支基(４)より側方に突出させて固着されている。
【００１６】
左右のそれぞれの連結杆(６)同士は、所要寸法離間し、かつ互いに対向する上向片の上端同士は、水平をなす連結片(８)により一体的に結合されている。
【００１７】
支基(４)の後端部上面には、後方に延出し、かつ上向きに湾曲する背杆(９)の下端が取付けられ、背杆(９)の上部には背当て(10)が装着されている。
【００１８】
(11)は座体で、合成樹脂製の座シェル(12)と、その上面に取付けられたインナーシェル(13)と、このインナーシェル(13)の上面に装着されたクッション材(14)とからなっている。
【００１９】
座シェル(12)の左右両側部は、上記座受フレーム(７)の両側部とほぼ同じ角度で上向きに傾斜しており、かつその傾斜部の下面には、座受フレーム(７)の左右両側部に上方から嵌合可能な凹部(15)(15)が形成されている。
【００２０】
座体(11)は、座シェル(12)の凹部(15)を座受フレーム(７)に嵌合して、図示しないねじにより固定することにより、座受フレーム(７)と支基(４)により支持されている。
【００２１】
図３に示すように、座体(11)を取付けた際、座シェル(12)の側端部下面と、座受フレーム(７)における連結杆(６)の下面の平面部とが、ほぼ同一面に整合するようにしてある。
【００２２】
座シェル(12)の一方（右方）の側端部下面の中央部には、椅子の取扱説明書(16)等を収納しておく収納部(17)が、次のようにして形成されている。
【００２３】
図２及び図３に示すように、座シェル(12)の凹部(15)よりも外方の側端部下面の中央部には、左右方向が開口された前後１対の内向きＬ字状をなす保持片(18)(18)が、それらの下端の内向片(18a)が座シェル(12)の側端部下面と平行をなすように下向きに一体的に突設されている。
【００２４】
また、座シェル(12)における凹部(15)内の底面の側端部に形成された上向きコ字状断面をなす下向き膨出部(19)の下面には、上記両保持片(18)と所要寸法離間して対向するとともに、それよりも長寸の１対の内向Ｌ字状の保持片(20)(20)が、それらの下端の内向片(20a)と上記内向片(18a)とが、斜め上下方向を向く同一平面内において整合するようにして、下向きに突設されている。
【００２５】
両保持片(20)の内方の端縁には、ストッパ片(20b)が内向対向状に連設されている。
両保持片(20)は、座シェル(12)を座受フレーム(７)に取付けた際、その右方の連結杆(８)に穿設した２個の開口(21)(21)より下方に突出し、左右の保持片(18)(20)との間に、外方の連結杆(６)が位置するようになっている。
【００２６】
従って、座受フレーム(７)の外方の連結杆(６)の下面と、上記各保持片(18)(20)とにより、取扱説明書(16)の収納部(17)が形成される。
【００２７】
取扱説明書(16)を収納部(17)に収納するには、図４の底面図にも示すように、外方の保持片(18)間において内向片(18a)と座シェル(12)との間の隙間より取扱説明書(16)を挿入し、その先端が内方の保持片(20)のストッパ片(20b)と当接するまで押し入れる。これにより取扱説明書は、各保持片(18)(20)の内向片(18a)(20a)と、外方の連結杆(６)の下面の平面部との間に収納される。
【００２８】
この際、取扱説明書(16)は、座シェル(12)の側端部下面とほぼ同一面をなす外方の連結杆(６)の下面に沿って挿入されるので、安定して挿入され、かつ収納後において上下に動くのが規制される。
【００２９】
また、収納部(17)すなわち連結杆(６)の下面と各保持片(18)(20)の内向片(18a)(20a)は、外上方を向くように斜めに傾斜しているので、取扱説明書(16)が収納部(17)より簡単に抜け出す恐れはなく、かつ出し入れも極めて容易となる。
【００３０】
以上説明したように、座体(11)の座シェル(12)が金属製の座受フレーム(７)により支持されている椅子においても、保持片(18)(20)を合成樹脂製の座シェル(12)に一体成形することができ、座受フレーム(７)の連結杆(６)を切り起こして保持片を形成したり、別部材の保持片を固着したりする工数が省ける。
【００３１】
また、座受フレーム(７)に金属製の保持片を設ける際に比して、手ざわり感がよく、かつ取扱説明書(16)に傷を付ける恐れもなくなる。
【００３２】
座シェル(12)の下面に、従来のような上向きの収納凹部を設ける必要がなく、しかも座シェル(12)は金属製の座受フレーム(７)により支持されているので、その撓み剛性が低下することはない。
【００３３】
上記実施形態では、取扱説明書(16)を座体(11)の側方より収納部(17)に出し入れするようにしたが、各保持片(18)(20)の向きや位置、座シェル(12)の下面の形状等を変えれば、前後方向より出し入れしうるようにすることもできる。
内方の両保持片(20)は、双方のストッパ片(20b)同士を結合して一体構造とすることもある。
【図面の簡単な説明】
【００３４】
【図１】本発明の椅子を前下方より見た斜視図である。
【図２】同じく、支基及びそれに固着された座受フレームと座体との分解斜視図である。
【図３】図１のIII−III線の要部の拡大縦断正面図である。
【図４】座体における収納部形成部の底面図である。
【符号の説明】
【００３５】
(１)椅子
(２)脚杆
(３)脚
(４)支基
(５)支持杆
(６)連結杆
(７)座受フレーム
(８)連結片
(９)背杆
(10)背当て
(11)座体
(12)座シェル
(13)インナーシェル
(14)クッション材
(15)凹部
(16)取扱説明書
(17)収納部
(18)保持片
(18a)内向片
(19)下向き膨出部
(20)保持片
(20a)内向片
(20b)ストッパ片
(21)開口
【図１】
2005137763.tif 000003
【図２】
2005137763.tif 000004
【図３】
2005137763.tif 000005
【図４】
2005137763.tif 000006